(57)【要約】【課題】マルチチャンネルオーディオシステムの複数のスピーカの中からモニターテレビ装置の内蔵スピーカに代わりをさせるスピーカをユーザの状況に応じて任意に選択する。【解決手段】サラウンドプロセッサ回路Ｃ２は、インプットセレクタ回路Ｃ１で選択された入力機器のオーディオ信号を、マルチチャンネルオーディオシステムの複数のスピーカに供給するマルチチャンネルオーディオ信号に変換する。信号経路切り換えスイッチＳＷ１，ＳＷ２は、モニターアウト端子ＣＮ２のオーディオＬ，Ｒチャンネル端子に、ユーザの設定に応じてマルチチャンネルオーディオ信号の一部を選択的に出力する。【選択図】  図１
2006050195.tif 000002
【特許請求の範囲】
【請求項１】
複数のスピーカを駆動してマルチチャンネル再生を行うＡＶアンプにおいて、
入力機器のオーディオ信号を前記複数のスピーカに供給するマルチチャンネルオーディオ信号に変換する変換手段と、
モニターテレビ装置のオーディオ入力端子と接続されるオーディオモニターアウト端子に、ユーザの設定に応じて前記マルチチャンネルオーディオ信号の一部を選択的に出力する切換手段とを有することを特徴とするＡＶアンプ。
【請求項２】
請求項１記載のＡＶアンプにおいて、
前記切換手段は、ユーザの設定に応じて前記入力機器のオーディオ信号を前記オーディオモニターアウト端子に選択的に出力することを特徴とするＡＶアンプ。
【請求項３】
請求項２記載のＡＶアンプにおいて、
さらに、前記入力機器のオーディオ信号を前記オーディオモニターアウト端子に出力するときに前記マルチチャンネルオーディオ信号の出力を止めるミュート手段を有することを特徴とするＡＶアンプ。
【発明の詳細な説明】
【技術分野】
【０００１】
本発明は、複数のスピーカとモニターテレビ装置と共にマルチチャンネルオーディオシステムを構成することが可能なＡＶアンプに関するものである。
【背景技術】
【０００２】
従来、マルチチャンネルオーディオシステムを構築するためには、ＡＶアンプの他に多数のスピーカを用意する必要があった。例えば５．１チャンネルシステムの場合には、２本のフロントスピーカとセンタースピーカと２本のサラウンドスピーカとサブウーハの計６本のスピーカが必要である。そこで、内蔵スピーカをマルチチャンネルオーディオシステムのセンタースピーカとして使用できるようにしたテレビ受信装置が提案されている（例えば、特許文献１参照）。このテレビ受信装置は、ＡＶアンプ等の外部機器からセンター信号が入力されたときに、内蔵スピーカでセンター信号を自動的に再生するようにしたものである。
【０００３】
なお、出願人は、本明細書に記載した先行技術文献情報で特定される先行技術文献以外には、本発明に関連する先行技術文献を出願時までに発見するには至らなかった。
【特許文献１】特開２０００−６９３７９号公報
【発明の開示】
【発明が解決しようとする課題】
【０００４】
しかしながら、特許文献１に開示されたテレビ受信装置では、ＡＶアンプ等の外部機器から入力される信号がセンター信号のみであり、テレビ受信装置の内蔵スピーカで代替可能なスピーカがセンタースピーカに固定されていた。したがって、このテレビ受信装置では、マルチチャンネルオーディオシステムの複数のスピーカの中から内蔵スピーカに代わりをさせるスピーカをユーザの状況に応じて任意に選択することができないという問題点があった。
【０００５】
本発明は、上記課題を解決するためになされたもので、マルチチャンネルオーディオシステムの複数のスピーカの中からモニターテレビ装置の内蔵スピーカに代わりをさせるスピーカをユーザの状況に応じて任意に選択することができるＡＶアンプを提供することを目的とする。
【課題を解決するための手段】
【０００６】
本発明は、複数のスピーカを駆動してマルチチャンネル再生を行うＡＶアンプにおいて、入力機器のオーディオ信号を前記複数のスピーカに供給するマルチチャンネルオーディオ信号に変換する変換手段と、モニターテレビ装置のオーディオ入力端子と接続されるオーディオモニターアウト端子に、ユーザの設定に応じて前記マルチチャンネルオーディオ信号の一部を選択的に出力する切換手段とを有するものである。
また、本発明のＡＶアンプの１構成例において、前記切換手段は、ユーザの設定に応じて前記入力機器のオーディオ信号を前記オーディオモニターアウト端子に選択的に出力するものである。
また、本発明のＡＶアンプの１構成例は、さらに、前記入力機器のオーディオ信号を前記オーディオモニターアウト端子に出力するときに前記マルチチャンネルオーディオ信号の出力を止めるミュート手段を有するものである。
【発明の効果】
【０００７】
本発明によれば、ユーザの設定に応じてマルチチャンネルオーディオ信号の一部をオーディオモニターアウト端子に選択的に出力する切換手段を設けることにより、マルチチャンネルオーディオシステムの複数のスピーカの中からモニターテレビ装置の内蔵スピーカに代わりをさせるスピーカをユーザの状況に応じて任意に選択することができる。したがって、ユーザがマルチチャンネルオーディオシステムに必要な複数のスピーカのうち一部を所有していない場合でも、不足しているスピーカをモニターテレビ装置の内蔵スピーカで補うことができるので、マルチチャンネルオーディオシステムを構築することができる。
【０００８】
また、ユーザの設定に応じて切換手段が入力機器のオーディオ信号をオーディオモニターアウト端子に選択的に出力することにより、従来のＡＶアンプに備えられているプリアウト端子と同等の機能を実現することができる。従来のプリアウト端子は入力機器毎に設けられているが、本発明によればオーディオモニターアウト端子を設けるだけでよいので、プリアウト端子を削減することができる。
【０００９】
また、入力機器のオーディオ信号をオーディオモニターアウト端子に出力するときにマルチチャンネルオーディオ信号の出力を止めるミュート手段を設けることにより、マルチチャンネルオーディオシステムのスピーカ群によって再生されるマルチチャンネル音声とモニターテレビ装置の内蔵スピーカからの音声とが重なることを回避できる。
【発明を実施するための最良の形態】
【００１０】
以下、本発明の実施の形態について図面を参照して詳細に説明する。図１は本発明の実施の形態に係るＡＶアンプの構成を示すブロック図である。図１において、ＣＮ１は入力機器接続端子である。入力機器接続端子ＣＮ１は、本来は１台の接続機器あたりオーディオ系の端子とビデオ系の端子とからなる複数の端子で構成されるが、図１では１台の接続機器あたり１端子で表している。ＣＮ２はモニターアウト端子である。モニターアウト端子ＣＮ２は、オーデイオ系２チャンネルの端子とビデオ系の端子とから構成されるが、図１では３端子で表している。
【００１１】
ＣＮ３はサブウーハ機器用端子である。サブウーハ機器用端子ＣＮ３は、オーディオ系１チャンネルの端子から構成される。Ｃ１はインプットセレクタ回路、Ｃ２は変換手段となるサラウンドプロセッサ回路、Ａ１〜Ａ５はスピーカ駆動アンプ回路である。Ｔ１〜Ｔ５はスピーカ接続端子である。スピーカ接続端子Ｔ１〜Ｔ５は、本来は１スピーカあたりグランド端子を含めて２端子で構成されるが、図１では１端子で表している。ＳＷ１，ＳＷ２は切換手段となる信号経路切り換えスイッチである。ＯＰはユーザが操作する操作ボタン等の操作装置である。ＣＴＬはシステム制御回路である。システム制御回路ＣＴＬは、マイクロコンピュータなどから構成され、ユーザーの操作に応じてＡＶアンプ全体を制御する。
【００１２】
入力機器接続端子ＣＮ１には、ＣＤプレイヤ、ＤＶＤプレイヤ／レコーダ、ＭＤレコーダやＶＣＲ（ビデオカセットレコーダ）などの複数のＡＶ機器が接続され、それぞれのオーディオ系およびビデオ系の出力信号が同時にインプットセレクタ回路Ｃ１に入力される。インプットセレクタ回路Ｃ１は、入力機器接続端子ＣＮ１に接続された複数のＡＶ機器のうちいずれか１つのＡＶ機器の出力信号を選択する。システム制御回路ＣＴＬは、ユーザーが操作装置ＯＰにより入力機器として指定したＡＶ機器を選択するようインプットセレクタ回路Ｃ１を制御する。
【００１３】
ここで、図１では、入力機器接続端子ＣＮ１からインプットセレクタ回路Ｃ１への信号経路、およびインプットセレクタ回路Ｃ１からサラウンドプロセッサ回路Ｃ２への信号経路を、オーディオ系のみの１本で表しており、ビデオ系の信号経路に関しては省略してある。モニターアウト端子ＣＮ２のＶｉｄｅｏ端子には、入力機器接続端子ＣＮ１に入力された各ＡＶ機器のビデオ信号のうちインプットセレクタ回路Ｃ１で選択された機器のビデオ信号がインプットセレクタ回路Ｃ１を介して伝達される。
【００１４】
次に、サラウンドプロセッサ回路Ｃ２は、インプットセレクタ回路Ｃ１から入力されたオーディオ信号を必要に応じてデコードし、ユーザーが操作装置ＯＰにより指定した音場プログラムに応じてマルチチャンネルのオーディオ信号に変換する。そして、サラウンドプロセッサ回路Ｃ２は、このマルチチャンネルのオーディオ信号に対して、ユーザーが指定した出力音量やチャンネルバランスなどに応じたチャンネル毎の音量制御を施して、マルチチャンネルのオーディオ信号を出力する。
【００１５】
サラウンドプロセッサ回路Ｃ２から出力されたマルチチャンネルのオーディオ信号、すなわちフロント信号ＦＬ（左），ＦＲ（右）、センター信号Ｃ（中央）、サラウンド信号ＳＬ（後左），ＳＲ（後右）は、それぞれスピーカ駆動アンプ回路Ａ１〜Ａ５により電流増幅され、スピーカ接続端子Ｔ１〜Ｔ５に接続されたフロントスピーカＳＰ−ＦＬ，ＳＰ−ＦＲ、センタースピーカＳＰ−Ｃ、サラウンドスピーカＳＰ−ＳＬ，ＳＰ−ＳＲから音声として出力される。サブウーハ信号ＬＦＥ（低周波数帯の信号）は、サブウーハ機器用端子ＣＮ３に接続されたアンプ内蔵のサブウーハＳＰ−ＳＷから出力される。以上の動作は、従来のＡＶアンプと同様な信号の流れである。図２に、マルチチャンネルオーディオシステムにおけるスピーカ配置の１例を示す。Ｚｏｎｅはサラウンド再生を行うリスニングルーム、Ｕは視聴位置、ＭＯＮはモニターテレビ装置である。
【００１６】
さらに、本実施の形態では、インプットセレクタ回路Ｃ１で選択された機器の出力信号のうちオーディオＬ，Ｒチャンネルの信号が、インプットセレクタ回路Ｃ１からそれぞれスイッチＳＷ１のａ端子、ＳＷ２のａ’端子に入力される。また、サラウンドプロセッサ回路Ｃ２からフロント信号ＦＬ，ＦＲがそれぞれスイッチＳＷ１のｂ端子、ＳＷ２のｂ’端子に入力され、センター信号ＣがスイッチＳＷ１のｃ端子とＳＷ２のｃ’端子に入力され、サブウーハ信号ＬＦＥがスイッチＳＷ１のｄ端子とＳＷ２のｄ’端子に入力される。
【００１７】
信号経路切り換えスイッチＳＷ１とＳＷ２は、連動して切り換わる。つまり、スイッチＳＷ１がａ端子を選択するときはスイッチＳＷ２はａ’端子を選択し、スイッチＳＷ１がｂ端子を選択するときはスイッチＳＷ２はｂ’端子を選択し、スイッチＳＷ１がｃ端子を選択するときはスイッチＳＷ２はｃ’端子を選択し、スイッチＳＷ１がｄ端子を選択するときはスイッチＳＷ２はｄ’端子を選択する。システム制御回路ＣＴＬは、ユーザーが操作装置ＯＰにより指定したモニターアウト切り換え設定に従って信号経路切り換えスイッチＳＷ１，ＳＷ２を制御する。信号経路切り換えスイッチＳＷ１，ＳＷ２から出力された信号は、モニターアウト端子ＣＮ２のオーディオＬ，Ｒチャンネル端子から外部機器（モニターテレビ装置）に出力される。
【００１８】
次に、本実施の形態のモニターアウト切り換え動作についてより詳細に説明する。モニターアウト端子ＣＮ２と接続されるモニターテレビ装置としては、少なくとも２チャンネルのスピーカを内蔵し、外部入力として少なくとも２チャンネルのオーディオ入力端子を備えたものを前提とする。本実施の形態のＡＶアンプでは、モニターアウト切り換え設定として、「Ｓｔｅｒｅｏ」、「ＦｒｏｎｔＬ／Ｒ」、「Ｃｅｎｔｅｒ」、「Ｓｕｂｗｏｏｆｅｒ」の各設定状態を予め用意し、システム制御回路ＣＴＬ内のＲＡＭに現在の設定状態を記憶し、ＲＡＭに記憶された設定状態をユーザーの操作により変えることができるものとする。
【００１９】
まず、ユーザが操作装置ＯＰを操作してモニターアウト切り換え設定を「ＦｒｏｎｔＬ／Ｒ」とした場合の動作について述べる。この場合、システム制御回路ＣＴＬは、信号経路切り換えスイッチＳＷ１，ＳＷ２を制御して、スイッチＳＷ１にｂ端子を選択させ、スイッチＳＷ２にｂ’端子を選択させる。これにより、モニターアウト端子ＣＮ２のオーディオＬ，Ｒチャンネル端子には、それぞれフロント信号ＦＬ，ＦＲが出力される。したがって、モニターテレビ装置の２チャンネルの内蔵スピーカからそれぞれフロント信号ＦＬ，ＦＲが再生されることになり、ユーザがフロントスピーカＳＰ−ＦＬ，ＳＰ−ＦＲを所有していない場合でも、センタースピーカＳＰ−ＣとサラウンドスピーカＳＰ−ＳＬ，ＳＰ−ＳＲとサブウーハＳＰ−ＳＷの４本を用意すれば、マルチチャンネルオーディオシステムを構築できることになる。
【００２０】
続いて、ユーザがモニターアウト切り換え設定を「Ｃｅｎｔｅｒ」とした場合の動作について述べる。この場合、システム制御回路ＣＴＬは、スイッチＳＷ１にｃ端子を選択させ、スイッチＳＷ２にｃ’端子を選択させる。これにより、モニターアウト端子ＣＮ２のオーディオＬ，Ｒチャンネル端子には、センター信号Ｃが出力される。したがって、モニターテレビ装置の内蔵スピーカからセンター信号Ｃが再生されることになり、ユーザがセンタースピーカＳＰ−Ｃを所有していない場合でも、フロントスピーカＳＰ−ＦＬ，ＳＰ−ＦＲとサラウンドスピーカＳＰ−ＳＬ，ＳＰ−ＳＲとサブウーハＳＰ−ＳＷの５本を用意すれば、マルチチャンネルオーディオシステムを構築できることになる。
【００２１】
次に、ユーザがモニターアウト切り換え設定を「Ｓｕｂｗｏｏｆｅｒ」とした場合の動作について述べる。この場合、システム制御回路ＣＴＬは、スイッチＳＷ１にｄ端子を選択させ、スイッチＳＷ２にｄ’端子を選択させる。これにより、モニターアウト端子ＣＮ２のオーディオＬ，Ｒチャンネル端子には、サブウーハ信号ＬＦＥが出力される。したがって、モニターテレビ装置の内蔵スピーカからサブウーハ信号ＬＦＥが再生されることになり、ユーザがサブウーハＳＰ−ＳＷを所有していない場合でも、フロントスピーカＳＰ−ＦＬ，ＳＰ−ＦＲとセンタースピーカＳＰ−ＣとサラウンドスピーカＳＰ−ＳＬ，ＳＰ−ＳＲの５本を用意すれば、マルチチャンネルオーディオシステムを構築できることになる。
【００２２】
最後に、ユーザがモニターアウト切り換え設定を「Ｓｔｅｒｅｏ」とした場合の動作について述べる。この場合、システム制御回路ＣＴＬは、スイッチＳＷ１にａ端子を選択させ、スイッチＳＷ２にａ’端子を選択させる。これにより、モニターアウト端子ＣＮ２のオーディオＬ，Ｒチャンネル端子には、インプットセレクタ回路Ｃ１からのオーディオＬ，Ｒチャンネルの信号が出力される。したがって、モニターテレビ装置の２チャンネルの内蔵スピーカからそれぞれオーディオＬ，Ｒチャンネルの信号が再生される。このときは、マルチチャンネルシステムではなく、ステレオシステムとなるが、モニターテレビ装置とは別に個別のスピーカーを用意する必要がなくなる。
【００２３】
なお、モニターアウト切り換え設定が「Ｓｔｅｒｅｏ」の場合、ＡＶアンプにフロントスピーカＳＰ−ＦＬ，ＳＰ−ＦＲ、センタースピーカＳＰ−Ｃ、サラウンドスピーカＳＰ−ＳＬ，ＳＰ−ＳＲおよびサブウーハＳＰ−ＳＷが接続されていたとすると、これらのスピーカ群によって再生されるマルチチャンネル音声に、モニターテレビ装置の内蔵スピーカからの音声が重なってしまい、バランス上好ましくない。そこで、モニターアウト切り換え設定が「Ｓｔｅｒｅｏ」の場合には、スピーカ接続端子Ｔ１〜Ｔ５への音声出力を止めるミューティングを行うようにしてもよい。このミューティングは、システム制御回路ＣＴＬから例えばサラウンドプロセッサ回路Ｃ２（ミュート手段）を制御して、マルチチャンネルのオーディオ信号出力を止めるようにすればよい。
【００２４】
このようなミューティングを行う場合には、モニターアウト切り換え設定に「ＰｒｅＯｕｔ」を追加してもよい。モニターアウト切り換え設定が「ＰｒｅＯｕｔ」の場合、システム制御回路ＣＴＬは、「Ｓｔｅｒｅｏ」の場合と同様にスイッチＳＷ１にａ端子を選択させ、スイッチＳＷ２にａ’端子を選択させるが、「Ｓｔｅｒｅｏ」の場合との違いはマルチチャンネルのオーディオ信号出力をミュートしないことである。したがって、モニターアウト切り換え設定「ＰｒｅＯｕｔ」は、音声再生のための設定ではなく、モニターアウト端子ＣＮ２から別の機器へオーディオ信号を出力するための設定となる。
【００２５】
また、本実施の形態では、ユーザがモニターアウト切り換え設定を直接行うものとして説明したが、これに限るものではなく、ユーザが各スピーカの有無を設定すると、不足しているスピーカをモニターテレビ装置の内蔵スピーカで補うべくシステム制御回路ＣＴＬがモニターアウト切り換え設定を自動的に決定して、スイッチＳＷ１，ＳＷ２を制御するようにしてもよい。例えばユーザが操作装置ＯＰを操作して「フロントスピーカなし」と設定した場合、システム制御回路ＣＴＬは、モニターアウト切り換え設定を「ＦｒｏｎｔＬ／Ｒ」とする。また、システム制御回路ＣＴＬは、ユーザが「センタースピーカなし」と設定した場合はモニターアウト切り換え設定を「Ｃｅｎｔｅｒ」とし、「サブウーハなし」と設定した場合はモニターアウト切り換え設定を「Ｓｕｂｗｏｏｆｅｒ」とし、「スピーカなし」と設定した場合はモニターアウト切り換え設定を「Ｓｔｅｒｅｏ」とする。
【産業上の利用可能性】
【００２６】
本発明は、マルチチャンネルオーディオシステムのＡＶアンプに適用することができる。
【図面の簡単な説明】
【００２７】
【図１】本発明の実施の形態に係るＡＶアンプの構成を示すブロック図である。
【図２】マルチチャンネルオーディオシステムにおけるスピーカ配置の１例を示す平面図である。
【符号の説明】
【００２８】
ＣＮ１…入力機器接続端子、ＣＮ２…モニターアウト端子、ＣＮ３…サブウーハ機器用端子、Ｃ１…インプットセレクタ回路、Ｃ２…サラウンドプロセッサ回路、Ａ１〜Ａ５…スピーカ駆動アンプ回路、Ｔ１〜Ｔ５…スピーカ接続端子、ＳＷ１、ＳＷ２…信号経路切り換えスイッチ、ＯＰ…操作装置、ＣＴＬ…システム制御回路、ＳＰ−ＦＬ、ＳＰ−ＦＲ…フロントスピーカ、ＳＰ−Ｃ…センタースピーカ、ＳＰ−ＳＬ、ＳＰ−ＳＲ…サラウンドスピーカ、ＳＰ−ＳＷ…サブウーハ、ＭＯＮ…モニターテレビ装置。
【図１】
2006050195.tif 000003
【図２】
2006050195.tif 000004